(57)【要約】【課題】外部電極蛍光ランプにおける電極部での管軸方向の温度分布の高低ムラを小さくでき、ガラスランプ管の電流導体層の部分にピンホールが発生しにくくする。【解決手段】内壁に蛍光体膜が形成され、両端が封止された透明なガラスランプ管１の内部に放電媒体を封入し、ガラスランプ管の両端の外周部に電流導体層２を設けた外部電極蛍光ランプ３を複数本並設し、複数本の外部電極放電ランプの両端それぞれを共通の電極部材４に接続し、両電極部材４，４間に高周波電圧を印加して放電点灯させる照明装置にあって、電極部材には、ガラスランプ管の管軸方向の両側に相当する位置において、少なくとも片側に複数の弾性クリップ片５１、他側に１つ若しくは複数の弾性クリップ片５２を間隔を空け、かつ、互いに管軸方向にずれた位置に設け、ガラスランプ管の電流導体層を管軸方向の両側に設けた弾性クリップ片５１，５２の間に弾性的に把持させた。【選択図】図１
2008135348.tif 000002
【特許請求の範囲】
【請求項１】
内壁に蛍光体膜が形成され、両端が封止された透明なガラスランプ管の内部に放電媒体を封入し、前記ガラスランプ管の両端の外周部に電流導体層を設けた外部電極蛍光ランプを複数本並設し、前記複数本の外部電極放電ランプの前記両端それぞれを共通の電極部材に接続し、前記両電極部材間に高周波電圧を印加して放電点灯させる照明装置にあって、
前記電極部材には、前記ガラスランプ管の管軸方向の両側に相当する位置において、少なくとも片側に複数片、他側に単片若しくは複数片の弾性クリップ片を間隔を空け、かつ、互いに前記管軸方向にずれた位置に設け、
前記ガラスランプ管の電流導体層を前記管軸方向の両側に設けた弾性クリップ片の間に弾性的に把持させたことを特徴とする照明装置。
【請求項２】
前記管軸方向の両側に設けた弾性クリップ片は、前記片側において隣接する弾性クリップ片の隙間の幅が前記他側における弾性クリップ片の幅よりも狭くしたことを特徴とする請求項１に記載の照明装置。
【発明の詳細な説明】
【技術分野】
【０００１】
本発明は、例えば液晶表示装置用の直下型バックライト装置や面照明装置のような照明装置に関する。
【背景技術】
【０００２】
従来、液晶表示装置用の直下型バックライト装置のような照明装置には、複数本の外部電極蛍光ランプを並設し、各外部電極蛍光ランプの外部電極部分を共通の給電部材に接続し、電源インバータから高周波電圧を印加して同時一斉に放電点灯させる構成のものが知られている。
【０００３】
例えば、特開２００４−１６４９０７号公報（特許文献１）、特開２００５−１１７１０号公報（特許文献２）に示す照明装置は、原理的には図１７に示す構成であり、ガラスランプ管１の両端の外周部に電流導体層２を設けた外部電極蛍光ランプ３を複数本並設し、複数本の外部電極放電ランプ３の両端それぞれを共通の電極部材４に接続し、両電極部材４，４間にインバータ装置６により高周波電圧を印加して複数本の外電極蛍光ランプ３を同時一斉に放電点灯させる構成である。
【０００４】
そしてこのようなバックライト装置における給電部の構造は、図１８〜図２３に示すようなものであり、電極部材４には、ガラスランプ管１の管軸方向の両側に相当する位置に互いに同じ位置で向かい合うように、複数片の弾性クリップ片５を等間隔を空けて設け、各ガラスランプ管１の電流導体層２の部分を両側の弾性クリップ片５，５の間に挟み込んで弾性的に把持させている。
【０００５】
ところが、このような従来の照明装置にあっては、図２４の拡大図に示すように、各外部電極蛍光ランプ３の端部の電流導体層２を両側から弾性的に把持する弾性クリップ片５，５が管軸方向両側において同じ幅を持って同じ位置で向かい合うように形成されているので、図２５に示すように電流導体層２の管軸方向の温度分布１０にムラα０が生じ、高温度になる部分ではガラスランプ管１にピンホールが発生して不点灯になってしまうことがある問題点があった。これは、電極部材４の各弾性クリップ片５がランプ管軸方向に対して鉛直方向に設置されているため、電極部での熱移動がランプ管軸方向よりもランプ径方向に生じやすいことから、弾性クリップ片５と接触していない領域では放熱効果が低くなり、その領域での電極部温度が上昇することが原因である。
【特許文献１】特開２００４−１６４９０７号公報
【特許文献２】特開２００５−１１７１０号公報
【発明の開示】
【発明が解決しようとする課題】
【０００６】
本発明は、上記の従来技術の課題に鑑みてなされたもので、外部電極蛍光ランプにおける電極部での管軸方向の温度分布の高低ムラを小さくでき、ガラスランプ管の電流導体層の部分にピンホールが発生しにくく、長期安定点灯を可能にする照明装置を提供することを目的とする。
【課題を解決するための手段】
【０００７】
請求項１の発明は、内壁に蛍光体膜が形成され、両端が封止された透明なガラスランプ管の内部に放電媒体を封入し、前記ガラスランプ管の両端の外周部に電流導体層を設けた外部電極蛍光ランプを複数本並設し、前記複数本の外部電極放電ランプの前記両端それぞれを共通の電極部材に接続し、前記両電極部材間に高周波電圧を印加して放電点灯させる照明装置にあって、前記電極部材には、前記ガラスランプ管の管軸方向の両側に相当する位置において、少なくとも片側に複数片、他側に単片若しくは複数片の弾性クリップ片を間隔を空け、かつ、互いに前記管軸方向にずれた位置に設け、前記ガラスランプ管の電流導体層を前記管軸方向の両側に設けた弾性クリップ片の間に弾性的に把持させたことを特徴とするものである。
【０００８】
請求項２の発明は、請求項１の照明装置において、前記管軸方向の両側に設けた弾性クリップ片は、前記片側において隣接する弾性クリップ片の隙間の幅が前記他側における弾性クリップ片の幅よりも狭くしたことを特徴とするものである。
【発明の効果】
【０００９】
本発明の照明装置によれば、電極部材に、ガラスランプ管の管軸方向の両側に相当する位置において、少なくとも片側に複数片、他側に単片若しくは複数片の弾性クリップ片を間隔を空け、かつ、互いに管軸方向にずれた位置に設け、ガラスランプ管の電流導体層を管軸方向の両側に設けた弾性クリップ片の間に弾性的に把持させたので、外部電極蛍光ランプにおける外部電極部の管軸方向にほぼ全長に渡りいずれかの弾性クリップ片が接触していることになり、管軸方向の温度分布の高低ムラを小さくでき、ガラスランプ管の電流導体層の部分にピンホールが発生しにくく、長期安定点灯を可能になる。
【００１０】
また本発明の照明装置において、外部電極蛍光ランプの外部電極部分において管軸方向の両側に設けた弾性クリップ片は、片側において隣接する弾性クリップ片の隙間の幅が他側における弾性クリップ片の幅よりも狭いものにすることで、電極部材から外部電極蛍光ランプを脱着したときに隣接する弾性クリップ片の隙間に反対側の弾性クリップ片が嵌り込むことがないので、次に外部電極蛍光ランプの外部電極部分を装着するときに装着しやすくなる。
【発明を実施するための最良の形態】
【００１１】
以下、本発明に実施の形態を図に基づいて詳説する。
【００１２】
（第１の実施の形態）本発明の第１の実施の形態の照明装置について説明する。本実施の形態の照明装置の全体的な構成は、従来例と同様に図１７に示すものであり、その構成において、電極部材４の構造が図１〜図６に示すものであることを特徴とする。
【００１３】
本実施の形態の照明装置は、図１７に示すように、ガラスランプ管１の両端の外周部に電流導体層２を設けた外部電極蛍光ランプ３を複数本並設し、複数本の外部電極放電ランプ３の両端それぞれを共通の電極部材４に接続し、両電極部材４，４間にインバータ装置６により高周波電圧を印加して複数本の外電極蛍光ランプ３を同時一斉に放電点灯させる構成である。
【００１４】
そしてこのようなバックライト装置における給電部の構造は、図１〜図６に示す構成であり、電極部材４には、ガラスランプ管１の管軸方向の両側に相当する位置において、少なくとも片側に複数片、他側にも複数片の弾性クリップ片５１，５２を間隔を空け、かつ、互いに管軸方向にずれた位置に設け、ガラスランプ管１の電流導体層２を管軸方向の両側に設けた弾性クリップ片５１，５２の間に弾性的に挟み込んで把持させている。本実施の形態の場合、管軸方向の両側の弾性クリップ片５１，５２の幅は互いに等しく、そして隣接する弾性クリップ片５１，５１間の隙間の幅は相手側の弾性クリップ片５２の幅と等しいかやや広めに設定している。尚、ランプ３に装着したフック８は、これによって長尺のガラスランプ管１を装置ケースの底面から支えて機械的に安定させるためのものである。
【００１５】
これにより、本実施の形態の照明装置では、インバータ装置６から高周波電圧を両電極部材４，４に印加することにより全外部電極蛍光ランプ３を同時一斉に点灯させることができる。そして点灯状態においては、図７の拡大図に示すように、各外部電極蛍光ランプ３の端部の電流導体層２を両側から弾性的に把持する弾性クリップ片５１，５２が管軸方向両側において互い違いの位置で電流導体層２と接触しているので、管軸方向にほぼ全長に渡りいずれかの弾性クリップ片が接触していることになる。この結果、電流導体層２の管軸方向の温度分布の高低ムラα１を小さくでき、図８に示すように電流導体層２の管軸方向Ｂ−Ｂ’の温度分布１１にムラが生じにくく、高温度になる部分ではガラスランプ管１にピンホールが発生して不点灯になる故障を発生しにくくできる。
【００１６】
尚、本実施の形態にあっては弾性クリップ片５１，５２の一方は１片だけであってもよい。ただし、両方の弾性クリップ片５１，５２で電流導体層２の軸方向ほぼ全長と接触する寸法を持つ必要がある。
【００１７】
（第２の実施の形態）本発明の第２の実施の形態の照明装置について、図１７、図９〜図１６を用いて説明する。第２の実施の形態の照明装置も、その全体的な構成は、第１の実施の形態と同様に図１７に示すものである。そして、本実施の形態における給電部の構造は図９〜図１６に示すものであり、電極部材４には、ガラスランプ管１の管軸方向の両側に相当する位置において、少なくとも片側に複数片、他側にも複数片の弾性クリップ片５１Ａ，５２Ａを間隔を空け、かつ、互いに管軸方向にずれた位置に設け、ガラスランプ管１の電流導体層２を管軸方向の両側に設けた弾性クリップ片５１Ａ，５２Ａの間に弾性的に挟み込んで把持させている。
【００１８】
本実施の形態の場合、管軸方向の片側の弾性クリップ片５１Ａの幅よりも他側の弾性クリップ片５２Ａの幅を広くし、かつ片側における隣接する弾性クリップ片５１Ａ，５１Ａ間の隙間の幅よりも他側の弾性クリップ片５２Ａの幅を広くしている。
【００１９】
これにより、本実施の形態の照明装置でも第１の実施の形態と同様に、インバータ装置６から高周波電圧を両電極部材４，４に印加することにより全外部電極蛍光ランプ３を同時一斉に点灯させることができる。そして点灯状態においては、図１５の拡大図に示すように、各外部電極蛍光ランプ３の端部の電流導体層２を両側から弾性的に把持する弾性クリップ片５１Ａ，５２Ａが管軸方向両側において互い違いの位置で電流導体層２と接触しているので、管軸方向にほぼ全長に渡りいずれかの弾性クリップ片が接触していることになる。しかも本実施の形態の場合には、相反対側の弾性クリップ片５１Ａ，５２Ａの端縁部同士が寸法γだけ若干重なり合う配置となっているので、電流導体層２の管軸方向のほぼ全長においていずれの弾性クリップ片５１Ａ，５２Ａも接触していない部分が存在しないので、図１６に示すように、電流導体層２の管軸方向の温度分布１１Ａの高低ムラα２を第１の実施の形態のものα１よりもさらに小さくでき、高温度になる部分ではガラスランプ管１にピンホールが発生して不点灯になる故障をいっそう発生しにくくできる。
【００２０】
尚、本実施の形態にあっても弾性クリップ片５１Ａ，５２Ａの一方は１片だけであってもよい。ただし、両方の弾性クリップ片５１Ａ，５２Ａで電流導体層２の軸方向ほぼ全長と接触する寸法を持つ必要がある。
【図面の簡単な説明】
【００２１】
【図１】本発明の第１の実施の形態の照明装置における給電部の平面図。
【図２】上記実施の形態における給電部の正面図。
【図３】上記実施の形態における給電部の斜視図。
【図４】上記実施の形態における電極部材の平面図。
【図５】上記実施の形態における電極部材の正面図。
【図６】上記実施の形態における電極部材の斜視図。
【図７】図１におけるＡ部の拡大図。
【図８】上記実施の形態における外部電極蛍光ランプの電流導体層部分における管軸方向の表面温度分布グラフ。
【図９】本発明の第２の実施の形態の照明装置における給電部の平面図。
【図１０】上記実施の形態における給電部の正面図。
【図１１】上記実施の形態における給電部の斜視図。
【図１２】上記実施の形態における電極部材の平面図。
【図１３】上記実施の形態における電極部材の正面図。
【図１４】上記実施の形態における電極部材の斜視図。
【図１５】図９におけるＣ部の拡大図。
【図１６】上記実施の形態における外部電極蛍光ランプの電流導体層部分における管軸方向の表面温度分布グラフ。
【図１７】一般的な照明装置の回路図。
【図１８】従来例の照明装置における給電部の平面図。
【図１９】上記従来例における給電部の正面図。
【図２０】上記従来例における給電部の斜視図。
【図２１】上記従来例における電極部材の平面図。
【図２２】上記従来例における電極部材の正面図。
【図２３】上記従来例における電極部材の斜視図。
【図２４】図１８におけるＥ部の拡大図。
【図２５】上記従来例における外部電極蛍光ランプの電流導体層部分における管軸方向の表面温度分布グラフ。
【符号の説明】
【００２２】
１  ガラスランプ管
２  電流導体層
３  外部電極蛍光ランプ
４  電極部材
６  インバータ装置
５１，５２  弾性クリップ片
５１Ａ，５２Ａ  弾性クリップ片
【図１】
2008135348.tif 000003
【図２】
2008135348.tif 000004
【図３】
2008135348.tif 000005
【図４】
2008135348.tif 000006
【図５】
2008135348.tif 000007
【図６】
2008135348.tif 000008
【図７】
2008135348.tif 000009
【図８】
2008135348.tif 000010
【図９】
2008135348.tif 000011
【図１０】
2008135348.tif 000012
【図１１】
2008135348.tif 000013
【図１２】
2008135348.tif 000014
【図１３】
2008135348.tif 000015
【図１４】
2008135348.tif 000016
【図１５】
2008135348.tif 000017
【図１６】
2008135348.tif 000018
【図１７】
2008135348.tif 000019
【図１８】
2008135348.tif 000020
【図１９】
2008135348.tif 000021
【図２０】
2008135348.tif 000022
【図２１】
2008135348.tif 000023
【図２２】
2008135348.tif 000024
【図２３】
2008135348.tif 000025
【図２４】
2008135348.tif 000026
【図２５】
2008135348.tif 000027